(57)【要約】      （修正有）【課題】分岐管継ぎ手を固定するための固定ブラケット等で構成された固定装置に係り、固定手順が簡易・迅速であって、かつ固定装置自体の構造が簡素化されると共に耐震性及び耐久性が高く、部品点数を削減し、高品質を確保した分岐管継ぎ手の固定装置を提供する。【解決手段】略Ｌ字状固定ブラケット８は、水平面部８ａと、垂直面部８ｂを形成している。前記略Ｌ字状固定ブラケット８の水平面部８ａは該コンクリート構造物９の平坦水平面９ａに、前記略Ｌ字状固定ブラケット８の垂直面部８ｂは、該コンクリート構造物９の垂直壁面９ｂに固定される。また、該水平面部８ａは予めコンクリート構造物９に打込んで固定したアンカーボルト１０、１０…等各種ボルトを挿入する。該アンカーボルト１０、１０…はボルト挿入用孔８ｃ、８ｃ…に挿入された後、上方からナット１１、１１…をねじ込み固定される。【選択図】図１
2006200551.tif 000002
【特許請求の範囲】
【請求項１】
略半円状凹陥部を左右に形成した座枠体を備えた略Ｌ字状固定ブラケットと、前記略半円状凹陥部に載置・固定されかつ外周面に複数の切溝及び内周面に歯部を形成し、その上側部分が収縮自在に形成すると共に分岐管継ぎ手のブラケットを挿置する有端状の左・右の略円環状防振パットと、一端が前記略Ｌ字状固定ブラケットの座枠体に軸着され、その他端が前記座枠体の前壁面に係止する棒状ナットを有した締付けボルトを連結しかつ前記左・右の略円環状防振パットの複数の切溝に係合する垂直縁を左右側に形成した屈曲・延在自在の左・右の保持カバーとで構成したことを特徴とする分岐管継ぎ手の固定装置。
【請求項２】
略半円状凹陥部を左右に形成した座枠体を備えかつコンクリート構造物に打設した複数のアンカーボルトに挿入・固定するボルト挿入用孔を有する水平面部を形成した略Ｌ字状固定ブラケットと、前記略半円状凹陥部に載置・固定されかつ外周面に複数の切溝及び内周面に歯部を形成し、その上側部分が収縮自在に形成すると共に分岐管継ぎ手のブラケットを挿置する有端状の左・右の略円環状防振パットと、一端が前記略Ｌ字状固定ブラケットの座枠体に軸着され、その他端が前記座枠体の前壁面に係止する棒状ナットを有した締付けボルトを連結しかつ前記左・右の略円環状防振パットの複数の切溝に係合する垂直縁を左右側に形成した屈曲・延在自在の左・右の保持カバーとで構成したことを特徴とする分岐管継ぎ手の固定装置。
【請求項３】
略半円状凹陥部を左右に形成した座枠体を備えかつコンクリート構造物に打設した複数のアンカーボルトに挿入・固定するボルト挿入用孔を有する水平面部を形成した略Ｌ字状固定ブラケットと、前記略半円状凹陥部に載置・固定されかつ外周面に複数の切溝及び内周面に歯部を形成し、その上側部分が収縮自在に形成し、複数の締付け板を有した分岐管継ぎ手を挿置すると共に該締付け板の相互間幅長と略同一の幅長を有する有端状の左・右の略円環状防振パットと、一端が前記略Ｌ字状固定ブラケットの座枠体に軸着され、その他端が前記座枠体の前壁面に係止する棒状ナットを有した締付けボルトを連結しかつ前記左・右の略円環状防振パットの複数の切溝に係合する垂直縁を左右側に形成しかつ前記略円環状防振パットと略同一幅長であって屈曲・延在自在の左・右の保持カバーとで構成したことを特徴とする分岐管継ぎ手の固定装置。
【請求項４】
前記左・右の保持カバーが第１連結アーム及び第２連結アームで構成されたことを特徴とする請求項１、２又は３記載の分岐管継ぎ手の固定装置。
【発明の詳細な説明】
【技術分野】
【０００１】
本発明は、一方及び他方の管を突合せて接続すると共にその突合せ部分にプラグを本体から突出成形し、このプラグに分岐管を接続する分岐ソケットを備えた分岐管継ぎ手の固定装置に関するものである。
【背景技術】
【０００２】
従来の分岐管継ぎ手の構造としては、例えば、一方の管と他方の管を突き合わせ構成し、さらにこの両管の接続部位に分岐する管を接続する構成で成立するものである。そして、当該分岐管を接続・製作する手順としては、管の途中を穿孔し、ここに分岐管を接続する方法や一方の管及び他方の管の突き合わせ部に分岐する管を同時に接続する方法がある。
而して、従来の技術に於ける分岐管継ぎ手の固定装置又は固定ブラケットとしては、例えば、前述した分岐管継ぎ手の構造に於いて、一方の管、他方の管又は分岐する管のいずれか又はその全部に管の表面形状に合致する例えばＵ字形状管押え部を成形すると共にその両翼に平板状部を形成した固定ブラケットを介して、蝶ボルト等によりコンクリート構造物等に固定する構成であった。
【０００３】
また、この種、従来技術としての接続管の固定構造としては特開２００３−２７５９７２に開示された技術がある。
かかる従来の技術は、単一管であって一方では支持体に固定されたスライド式接続管受け板を構成し、他方では、支持体に蝶ボルト等で固定される接続管押え用Ｕ形サドルの鍔部を有しかつ中央サドルのＵ字部に接続管を当接し嵌め込んで天井懐内の梁に密着・固定する技術である。
【特許文献１】特開２００３−２７５９７２公開特許公報
【発明の開示】
【発明が解決しようとする課題】
【０００４】
従来の技術は、叙上の構成であるので次の課題が存在した。
従来の技術に於ける前述した構成によれば、特に、前者の場合、一方の管、他方の管又は分岐する管のいずれか又はその全部に管の表面形状に合致する例えばＵ字形状管押え部を成形すると共にその両翼に平板状部を形成した固定ブラケットを介して、蝶ボルト等によりコンクリート構造物等に固定する構成によると、当該分岐管継ぎ手を固定するコンクリート構造物に震動が誘起されたとき及び該コンクリート構造物への固定壁面に凹凸部分が存在するときには蝶ボルト等が緩みかつ飛び出すことがあり、当該固定ブラケットがコンクリート構造物から離脱すること及び当該固定ブラケットをコンクリート構造物へ固定することが不安定であり、固定品質が劣化するばかりか、分岐管継ぎ手を該コンクリート構造物に固定することが困難であるという問題点があった。
【０００５】
また、特に、後者の場合、単一管であって一方では支持体に固定されたスライド式接続管受け板を構成し、他方では、支持体に蝶ボルト等で固定される接続管押え用Ｕ形サドルの鍔部を有しかつ中央サドルのＵ字部に接続管を当接し嵌め込んで天井懐内の梁に密着・固定する技術によると、第１の固定手段としてのスライド式接続管受け板、第２の固定手段としての上述のサドルを備える必要があり、当該天井懐内の梁へ接続管を固定する構成が複雑であるうえに前者の構成で述べたような問題点があった。また、当該従来の技術はそのまま分岐管継ぎ手の固定装置に適用できないという隘路があった。
本発明が解決しようとする課題は、上記背景技術で述べた問題点を解決することにある。
【課題を解決するための手段】
【０００６】
本発明は、例えば、全体が略円筒体で成形されたハウジングの内周面に一方及び他方の管を挿入し、該両管を所望の位置に配置・固定する弾性スリーブを貼着すると共に該ハウジングの長さ方向の略中心部位に該ハウジングの内部から鍔部及び筒状部を有した固定プラグの該筒状部を挿入するための挿通孔を形成してなり、そして該固定プラグの鍔部の上面及び筒状部の外周面には一連の山形状突起及び雄ねじを形成すると共に該固定プラグの筒状部を前記挿通孔に挿入した後に該固定プラグの筒状部の雄ねじが略円筒体でなるシール材を有した分岐ソケット内の雌ねじと螺合し、該固定プラグの鍔部の一連の山形状突起が前記ハウジング内の弾性スリーブに喰い込み前記固定プラグが分岐ソケットに緊締されてなる分岐管継ぎ手のコンクリート構造物等に固定するための固定ブラケット等で構成された固定装置に係り、固定手順が簡易・迅速であって、かつ固定装置自体の構造が簡素化されると共に耐震性及び耐久性が高く、部品点数を削減し、高品質を確保した分岐管継ぎ手の固定装置を提供することを目的としたものであって、次の構成、手段から成立する。
【０００７】
すなわち、請求項１記載の発明によれば、略半円状凹陥部を左右に形成した座枠体を備えた略Ｌ字状固定ブラケットと、前記略半円状凹陥部に載置・固定されかつ外周面に複数の切溝及び内周面に歯部を形成し、その上側部分が収縮自在に形成すると共に分岐管継ぎ手のブラケットを挿置する有端状の左・右の略円環状防振パットと、一端が前記略Ｌ字状固定ブラケットの座枠体に軸着され、その他端が前記座枠体の前壁面に係止する棒状ナットを有した締付けボルトを連結しかつ前記左・右の略円環状防振パットの複数の切溝に係合する垂直縁を左右側に形成した屈曲・延在自在の左・右の保持カバーとで構成したことを特徴とする。
【０００８】
請求項２記載の発明によれば、略半円状凹陥部を左右に形成した座枠体を備えかつコンクリート構造物に打設した複数のアンカーボルトに挿入・固定するボルト挿入用孔を有する水平面部を形成した略Ｌ字状固定ブラケットと、前記略半円状凹陥部に載置・固定されかつ外周面に複数の切溝及び内周面に歯部を形成し、その上側部分が収縮自在に形成すると共に分岐管継ぎ手のブラケットを挿置する有端状の左・右の略円環状防振パットと、一端が前記略Ｌ字状固定ブラケットの座枠体に軸着され、その他端が前記座枠体の前壁面に係止する棒状ナットを有した締付けボルトを連結しかつ前記左・右の略円環状防振パットの複数の切溝に係合する垂直縁を左右側に形成した屈曲・延在自在の左・右の保持カバーとで構成したことを特徴とする。
【０００９】
請求項３記載の発明によれば、略半円状凹陥部を左右に形成した座枠体を備えかつコンクリート構造物に打設した複数のアンカーボルトに挿入・固定するボルト挿入用孔を有する水平面部を形成した略Ｌ字状固定ブラケットと、前記略半円状凹陥部に載置・固定されかつ外周面に複数の切溝及び内周面に歯部を形成し、その上側部分が収縮自在に形成し、複数の締付け板を有した分岐管継ぎ手を挿置すると共に該締付け板の相互間幅長と略同一の幅長を有する有端状の左・右の略円環状防振パットと、一端が前記略Ｌ字状固定ブラケットの座枠体に軸着され、その他端が前記座枠体の前壁面に係止する棒状ナットを有した締付けボルトを連結しかつ前記左・右の略円環状防振パットの複数の切溝に係合する垂直縁を左右側に形成しかつ前記略円環状防振パットと略同一幅長であって屈曲・延在自在の左・右の保持カバーとで構成したことを特徴とする。
【００１０】
請求項４記載の発明によれば、請求項１、２又は３記載の発明に於いて、前記左・右の保持カバーが第１連結アーム及び第２連結アームで構成されたことを特徴とする。
【発明の効果】
【００１１】
本発明に係る分岐管継ぎ手の固定装置は、叙上の構成を有するので次の効果がある。
すなわち、請求項１記載の発明によれば、略半円状凹陥部を左右に形成した座枠体を備えた略Ｌ字状固定ブラケットと、前記略半円状凹陥部に載置・固定されかつ外周面に複数の切溝及び内周面に歯部を形成し、その上側部分が収縮自在に形成すると共に分岐管継ぎ手のブラケットを挿置する有端状の左・右の略円環状防振パットと、一端が前記略Ｌ字状固定ブラケットの座枠体に軸着され、その他端が前記座枠体の前壁面に係止する棒状ナットを有した締付けボルトを連結しかつ前記左・右の略円環状防振パットの複数の切溝に係合する垂直縁を左右側に形成した屈曲・延在自在の左・右の保持カバーとで構成したことを特徴とする分岐管継ぎ手の固定装置を提供する。
このような構成としたので、分岐管継ぎ手を支持するコンクリート構造物等が震動しても離脱することがなく、固定品質を高めるうえに簡易・迅速に分岐管継ぎ手を該コンクリート構造物に固定でき、施工工数を大幅に削減すると共に部品点数を少なくし工費を低減する効果がある。
【００１２】
請求項２記載の発明によれば、略半円状凹陥部を左右に形成した座枠体を備えかつコンクリート構造物に打設した複数のアンカーボルトに挿入・固定するボルト挿入用孔を有する水平面部を形成した略Ｌ字状固定ブラケットと、前記略半円状凹陥部に載置・固定されかつ外周面に複数の切溝及び内周面に歯部を形成し、その上側部分が収縮自在に形成すると共に分岐管継ぎ手のブラケットを挿置する有端状の左・右の略円環状防振パットと、一端が前記略Ｌ字状固定ブラケットの座枠体に軸着され、その他端が前記座枠体の前壁面に係止する棒状ナットを有した締付けボルトを連結しかつ前記左・右の略円環状防振パットの複数の切溝に係合する垂直縁を左右側に形成した屈曲・延在自在の左・右の保持カバーとで構成したことを特徴とする分岐管継ぎ手の固定装置を提供する。
このような構成としたので、請求項１記載の発明の効果に加えて、特に、当該分岐管継ぎ手の固定装置をアンカーボルトを打設したコンクリート構造物に適用でき、その利用が広範囲に渉るという効果がある。
【００１３】
請求項３記載の発明によれば、略半円状凹陥部を左右に形成した座枠体を備えかつコンクリート構造物に打設した複数のアンカーボルトに挿入・固定するボルト挿入用孔を有する水平面部を形成した略Ｌ字状固定ブラケットと、前記略半円状凹陥部に載置・固定されかつ外周面に複数の切溝及び内周面に歯部を形成し、その上側部分が収縮自在に形成し、複数の締付け板を有した分岐管継ぎ手を挿置すると共に該締付け板の相互間幅長と略同一の幅長を有する有端状の左・右の略円環状防振パットと、一端が前記略Ｌ字状固定ブラケットの座枠体に軸着され、その他端が前記座枠体の前壁面に係止する棒状ナットを有した締付けボルトを連結しかつ前記左・右の略円環状防振パットの複数の切溝に係合する垂直縁を左右側に形成しかつ前記略円環状防振パットと略同一幅長であって屈曲・延在自在の左・右の保持カバーとで構成したことを特徴とする分岐管継ぎ手の固定装置を提供する。
このような構成としたので、請求項１及び２記載の発明の効果に加えて、分岐管継ぎ手のハウジングの外表面に緊密かつ堅固に略円環状防振パットを固着させることができ、さらに分岐管継ぎ手の固定品質を高める効果がある。
【００１４】
請求項４記載の発明によれば、前記左・右の保持カバーが第１連結アーム及び第２連結アームで構成されたことを特徴とする請求項１、２又は３記載の分岐管継ぎ手の固定装置を提供する。
このような構成としたので、請求項１、２又は３記載の発明の効果に加えて、左・右の保持カバーを分岐管継ぎ手の設計仕様に応じて各種の形態を構成し、簡易・迅速に分岐管継ぎ手をコンクリート構造物に支持・固定することができる効果がある。
【発明を実施するための最良の形態】
【００１５】
以下、本発明に係る分岐管継ぎ手の固定装置に於ける実施の形態について添付図面に基づき詳細に説明する。
【００１６】
図１は、本発明に係る分岐管継ぎ手の固定装置に於ける実施の形態を示すものであって、一方（右）の保持カバーを開放した状態を示す斜視図である。
【００１７】
先づ、当該分岐管継ぎ手の固定装置を説明するに先立ち図４に示す分岐管継ぎ手の一例を説明する。
Ａは例えば、寒冷地域に於ける積雪を散水氷解するために使用する分岐管を接続してなる分岐管継ぎ手であって、大概すれば、略円筒体で構成されかつその両端に開口縁１ａを折曲形成したハウジング１と、該ハウジング１の内周面に貼着しかつ装着された弾性スリーブ２と、前記ハウジング１及び前記弾性スリーブ２に形成されたプラグ挿入用孔（不図示）に筒状部を挿入する固定プラグ（不図示）と、該固定プラグの鍔部と分岐ソケット３の下端間で前記ハウジング１及び前記弾性スリーブ２を挾着・保持する分岐ソケット３と、前記ハウジング１の円周方向の一端が不連続となった円筒形状の不連続箇所に備えかつ締付けボルト孔４ａ、４ａを対向して形成しかつ、一端を該ハウジング１の外表面に固定している複数の締付け板４、４、４と、この複数の締付け板４、４、４の締付けボルト孔４ａ、４ａ、４ａ内に係入した締付けボルト５、５、５、５に直交して結合した棒状ナット５ａ、５ａと、該締付け板４、４、４間を橋架しかつ前記弾性スリーブ２の両端に嵌挿されかつ固定される図３に示す一方及び他方の管６を締付ける締付けボルト５、５、５、５とで構成される。そして、前記締付け板４、４、４の対向面間にはスライド板７が介装されている。すなわち、該スライド板７は上・下端のいずれかを前記ハウジング１の内壁面に固着すると共に前記弾性スリーブ２の表面を覆設している。また、締付けボルト５、５、５、５の頭部５ｂ、５ｂ、５ｂ、５ｂは締付け板４、４、４の締付け作業を容易にすべく例えば、六角穴が形成されている。
【００１８】
次に、図１及び図２に基づき、本発明に係る分岐管継ぎ手の固定装置に於ける実施の形態を説明する。
８は、略Ｌ字状固定ブラケットであり、水平面部８ａと、垂直面部８ｂを形成している。該略Ｌ字状固定ブラケット８は、前述した分岐管継ぎ手Ａを支持対象物としてのコンクリート構造物９又は当該分岐管継ぎ手Ａの支持基台等に支持するために利用するものであって、耐腐食性を有する例えば、オーステナイト系ステンレス（ＳＵＳ）材料で成形されている。そして、前記略Ｌ字状固定ブラケット８の水平面部８ａは該コンクリート構造物９の平坦水平面９ａに、前記略Ｌ字状固定ブラケット８の垂直面部８ｂは、該コンクリート構造物９の垂直壁面９ｂに固定される。また、該水平面部８ａは互に所望間隔を有しかつ複数個のボルト挿入用孔８ｃ、８ｃ…を穿孔し、このボルト挿入用孔８ｃ、８ｃ…に予めコンクリート構造物９に打込んで固定したアンカーボルト１０、１０…等各種ボルトを挿入する。該アンカーボルト１０、１０…はボルト挿入用孔８ｃ、８ｃ…に挿入された後、上方からナット１１、１１…をねじ込み該略Ｌ字状固定ブラケット８の水平面部８ａがコンクリート構造物９の平坦水平面９ａに密着・接合すると共に該略Ｌ字状固定ブラケット８の垂直面部８ｂもコンクリート構造物９の垂直壁面９ｂに堅固に固定される。
尚、ナット１１、１１とアンカーボルト１０、１０…に代えて単一のスクリューボルトであっても差支えない。
【００１９】
１２は座枠体であり、前記略Ｌ字状固定ブラケット８の垂直面部８ｂに固定され、前記略Ｌ字状固定ブラケット８と同材質で成形される。該座枠体１２は、その内周面に略半円状凹陥部１２ａを単一又は複数個を形成し、略円環状防振パット１３、１３を嵌入・配置している。該略円環状防振パット１３、１３は、左・右一対に構成されかつ有端状であって、耐候性及び耐オゾン性に優れると共に拡張かつ収縮可能に柔軟性を備えたゴム材料又は樹脂材料で成形され、外周面に周方向に複数の所定幅を有するそれぞれに切溝１３ａを、及び内周面に円周方向に対して直角方向にかつ内周面に一連となる溝で形成した歯部１３ｂをそれぞれ成形してなる。
【００２０】
前記座枠体１２は、左、右に両翼１２ｂ、１２ｂを本体部の側面としての垂直面１２ｃ、１２ｃから略直角方向に折曲して形成し、この両翼１２ｂ、１２ｂを溶接手段等により前記略Ｌ字状固定ブラケット８の垂直面部８ｂに固定する。
尚、該座枠体１２の前記両翼１２ｂ、１２ｂ及び垂直面１２ｃ、１２ｃを該略Ｌ字状固定ブラケット８の垂直面部８ｂと一体形成してもよい。すなわち、前記座枠体１２を前記略Ｌ字状固定ブラケット８に一体成形し全体構成の単一化及び簡素化を図ることができる。
また、前記略Ｌ字状固定ブラケット８の水平面部８ａ及び垂直面部８ｂには断面形状が略半円状に形成した単一又は複数個のリブ８ｄ、８ｄが座枠体１２側方向及び垂直方向に直線状に突設形成している。これにより前記ナット１１、１１をねじ込んだ際、該略半円状リブ８ｄ、８ｄが拡開しながら略Ｌ字状固定ブラケット８の水平面部８ａ及び垂直面部８ｂがコンクリート構造物９の平坦水平面９ａが圧着され緊密状態に固定されることとなる。
【００２１】
１４、１４は前記略円環状防振パット１３、１３の外周面に覆設する開閉自在の左・右一対の保持カバーであって、該略円環状防振パット１３、１３と略同一の左・右幅長を有している。該保持カバー１４は、全体が略半円弧状に形成されてあって複数の例えば、第１連結アーム１４ａ、第２連結アーム１４ｂで構成されている。そして、該第１連結アーム１４ａの基端（一端）は座枠体１２の上端１２ｄに固定されているヒンジピン１４ｃに回動自在に軸着され、及び該第１連結アーム１４ａの他端は前記第２連結アーム１４ｂの一端とヒンジピン１４ｃに回動自在に軸着されている。また、該第１連結アーム１４ａは全体が略円弧状に形成され、その左・右側面はそれぞれ垂直縁１４ｄ、１４ｄを垂下形成している。
【００２２】
前記第２連結アーム１４ｂは前記第１連結アーム１４ａと構造及び形状が略同一であり、相違点のみ説明し、同一符号を付し、その説明を省略する。該第２連結アーム１４ｂの他端は、カール状締付け板１５を固定・配置し、さらに図１に示すように前記略円環状防振パット１３を被覆する際に、該第２連結アーム１４ｂを該第１連結アーム１４ａから前方に屈曲させかつ延圧させると共に前記略円環状防振パット１３から開放する際に、該第２連結アーム１４ｂを該第１連結アーム１４ａから後方に屈曲させかつ縮退させる。
尚、前記左・右一対の保持カバー１４、１４は２つの連結アームに限定されず単一の連結アーム又は３個以上の連結アームで構成しても差支えない。
【００２３】
前記カール状締付け板１５は締付けボルト孔１５ａを形成し、これに締付けボルト１６を係入している。該締付けボルト１６の一端は該カール状締付け板１５の内周面に直交・配備した棒状ナット１６ａを係合し、該締付けボルト１６の他端は別の棒状ナット１６ｂと直交し、連結している。該締付けボルト１６の頭部１６ｃはカール状締付け板１５の締付け作業を容易にすべく、例えば六角穴が形成されている。
そして、左・右一対の前記保持カバー１４、１４を略円環状防振パット１３、１３に図２に示すように被覆するとき、左・右にそれぞれ有する前記第１及び第２連結アーム１４ａ、１４ｂのそれぞれの垂直縁１４ｄ、１４ｄが前記略円環状防振パット１３、１３の外周面に形成した複数の切溝１３ａ、１３ａのうちそれぞれの左端・右端側の切溝１３ａ、１３ａに嵌入し、該保持カバー１４が正確にかつ揺動することなく、堅固に覆設される。
【００２４】
次に本発明に係る分岐管継ぎ手の固定装置に於ける実施の形態の組立手順や作用等について図３等に基づき説明する。
【００２５】
先づ、例えば図３に示す分岐管継ぎ手Ａを組立てる場合について説明すれば、ハウジング１の水平幅長と略同一幅長の弾性スリーブ２を嵌着・施工する。そして、分岐ソケット３の雌ねじ（不図示）を該固定プラグ（不図示）の雄ねじに螺合し、該分岐ソケット３を該固定プラグに固定し、ハウジング１及び弾性スリーブ２が分岐ソケット３と固定プラグ間に挾着される。さらに、前記ハウジング１の一方の開口縁１ａ内（開口部）から一方の管６を挿入する。そして、例えば弾性スリーブ２の内壁面に形成したストッパ片に該一方の管６の端部が衝当し、進入停止する。次に、前記ハウジング１の他方の開口縁１ａ内（開口部）から他方の管６を同様に挿入し、例えば弾性スリーブ２の内壁面に形成したストッパ片に該一方の管６の端部が衝当し、進入停止する。
【００２６】
かくして、一方の管６及び他方の管６が前記ハウジング１及び前記弾性スリーブ２内の所定位置に設定される。そして、図４に示す例えば、３つの締付け板４、４、４に装着された各々の１個ないし２個の締付けボルト５の頭部５ｂに六角穴等を形成し、この六角穴に締付け工具のボルトを嵌合して回動し、該ハウジング１の外表面を締付ける。このとき、前記スライド板７の自由端は該ハウジング１を締付ける際の移動に従い、該ハウジング１の内壁面をスライドする。そこで、当該分岐管継ぎ手Ａの組立てが完成する。
尚、本発明は前記した構造の分岐管継ぎ手Ａに限定されず各種の分岐管継ぎ手に適用される。
【００２７】
次に、座枠体１２を溶接手段等で固定し又は座枠体１２と一体成形した前記略Ｌ字状固定ブラケット８の水平面部８ａに形成した複数個のボルト挿入用孔８ｃ、８ｃ…はコンクリート構造物９等の支持対象物に予め打込んで突設配備した複数個のアンカーボルト１０、１０…を挿入し、上方からそれに適応したナット１１、１１…をねじ込み緊締し、該略Ｌ字状固定ブラケット８が該コンクリート構造物９に堅固に固定される。
【００２８】
前記左・右一対の略円環状防振パット１３、１３を座枠体１２の略半円状凹陥部１２ａ、１２ａに載置・固定する。而して、前記左・右一対の略円環状防振パット１３、１３の下側の略半円状部分が略半円状凹陥部１２ａ、１２ａに固定すると共に上側の略半円状部分は収縮・拡開移動自在となる。そして、前記左・右一対の略円環状防振パット１３、１３の上側の略半円状部分及び前記左・右一対の保持カバー１４、１４を開放し、例えば、前述した分岐管継ぎ手Ａのハウジング１を前記左・右一対の略円環状防振パット１３、１３内に挿入・載置する。このとき、前記左・右一対の略円環状防振パット１３、１３の幅長Ｓ１が前記分岐管継ぎ手Ａのハウジング１の外表面に固定した締付け板４、４、４の相互間隔幅長Ｓ２、Ｓ２と略同一幅長若しくはそれより若干幅小に構成してあり、前記分岐管継ぎ手Ａのハウジング１を挿入した際、前記左・右一対の略円環状防振パット１３、１３が緊密状態に覆設する。また、前記左・右一対の保持カバー１４、１４は図１に示す他方側（右側）に示すように、第２連結アーム１４ｂを第１連結アーム１４ａから後方に屈曲させかつ縮退させた状態となる。分岐管継ぎ手Ａのハウジング１を前記左・右一対の略円環状防振パット１３、１３内に挿入・載置した後に前記左・右一対の保持カバー１４、１４を前記左・右一対の略円環状防振パット１３、１３の外周面を被覆する。このとき、左・右にそれぞれ有する前記第１及び第２連結アーム１４ａ、１４ｂのそれぞれの垂直縁１４ｄ、１４ｄが前記略円環状防振パット１３、１３の外周面に形成した複数の切溝１３ａ、１３ａのうちそれぞれの左端・右端側の切溝１３ａ、１３ａに嵌入し、該保持カバー１４が正確にかつ揺動することなく、堅固に覆設される。
【００２９】
一方、前記左・右一対の保持カバー１４、１４を前記左・右一対の略円環状防振パット１３、１３の外周面を被覆する際、第２連結アーム１４ｂ、１４ｂを第１連結アーム１４ａ、１４ａから前方に屈曲させかつ延圧させた後前記締付けボルト１６、１６の棒状ナット１６ｂ、１６ｂを座枠体２の前壁面１２ｅの左・右の所定箇所に備えた左・右の係止部１２ｆ、１２ｆにそれぞれ係止する。このとき、前記左・右一対の保持カバー１４、１４は図２及び図３に示すように左・右一対の略円環状防振パット１３、１３の外表面を被覆した状態となる。
【００３０】
さらに、例えば締付けボルト１６の頭部１６ｃの六角穴に各種の締付け工具等のボルトを嵌合して回動し、前記左・右一対の保持カバー１４、１４を締付ける。これにより、該保持カバー１４、１４の各第１及び第２連結アーム１４ａ、１４ａのそれぞれの垂直縁１４ｄ、１４ｄが左・右一対の略円環状防振パット１３、１３の外周面の左・右端側に形成した切溝１３ａ、１３ａを押圧し、該左・右一対の略円環状防振パット１３、１３の外周面のうち上側半円状部分を収縮させる。左・右一対の略円環状防振パット１３、１３の内周面に形成した歯部１３ｂ、１３ｂが前記分岐管継ぎ手Ａのハウジング１の外表面に圧着する。この左・右一対の略円環状防振パット１３、１３の歯部１３ｂ、１３ｂにより前記分岐管継ぎ手Ａのハウジング１は図３に示すように座枠体２に完全に密着状態に堅固に固定されることとなる。
【図面の簡単な説明】
【００３１】
【図１】本発明に係る分岐管継ぎ手の固定装置に於ける実施の形態を示す斜視図である。
【図２】本発明に係る分岐管継ぎ手の固定装置に於ける実施の形態を示すものであって、左・右一対の保持カバーを閉止した状態を示す斜視図である。
【図３】本発明に係る分岐管継ぎ手の固定装置に於ける実施の形態を示すものであって、分岐管継ぎ手を固定した状態を示す斜視図である。
【図４】本発明に係る分岐管継ぎ手の固定装置に適用する分岐管継ぎ手の一例を示す斜視図である。
【符号の説明】
【００３２】
１      ハウジング
１ａ    ハウジングの開口縁
２      弾性スリーブ
３      分岐ソケット
４      締付け板
４ａ    締付け板の締付けボルト孔
５      締付けボルト
５ａ    締付けボルトの棒状ナット
５ｂ    締付けボルトの頭部
６      一方、他方の管
７      スライド板
８      略Ｌ字状固定ブラケット
８ａ    略Ｌ字状固定ブラケットの水平面部
８ｂ    略Ｌ字状固定ブラケットの垂直面部
８ｃ    略Ｌ字状固定ブラケットのボルト挿入用孔
８ｄ    略Ｌ字状固定ブラケットの略半円状リブ
９      コンクリート構造物
９ａ    コンクリート構造物の平坦水平面
９ｂ    コンクリート構造物の垂直壁面
１０    アンカーボルト
１１    ナット
１２    座枠体
１２ａ  座枠体の略半円状凹陥部
１２ｂ  座枠体の両翼
１２ｃ  座枠体の垂直面
１２ｄ  座枠体の上端
１２ｅ  座枠体の前壁面
１２ｆ  座枠体の係止部
１３    略円環状防振パット
１３ａ  略円環状防振パットの切溝
１３ｂ  略円環状防振パットの歯部
１４    保持カバー
１４ａ  保持カバーの第１連結アーム
１４ｂ  保持カバーの第２連結アーム
１４ｃ  保持カバーのヒンジピン
１４ｄ  保持カバーの垂直縁
１５    カール状締付け板
１５ａ  カール状締付け板の締付けボルト
１６    締付けボルト
１６ａ  締付けボルトの棒状ナット
１６ｂ  締付けボルトの棒状ナット
１６ｃ  締付けボルトの頭部
Ｓ１    略円環状防振パットの幅長
Ｓ２    分岐管継ぎ手のハウジングに固定された締付け板の相互間隔長
【図１】
2006200551.tif 000003
【図２】
2006200551.tif 000004
【図３】
2006200551.tif 000005
【図４】
2006200551.tif 000006